(57)【特許請求の範囲】
【請求項１】
下端部に噴射口を有する中空状に形成され、噴射口を通じて高圧の燃料が噴射される本体と、本体の中空内中間部に形成され、コモンレールからの燃料が入口オリフィスを介して注入される圧力制御室と、圧力制御室内に上下移動自在に配置された制御ピストンと、本体の中空内部に配置されて制御ピストンに連接され、上下に移動して噴射口を開閉するニードルと、ニードルの周囲に設けられ、ニードルを噴射口方向に付勢するニードルスプリングと、圧力制御室の上部に位置するように本体の中空内部に配置されたソレノイドコイルと、ソレノイドコイルと圧力制御室との間に配置され、電子制御部から供給される電力により発生するソレノイドコイルの磁力により移動することによって圧力制御室内の燃料の圧力を制御するアーマチュアと、圧力制御室とアーマチュアとの間に形成され、燃料が流通する出口オリフィスとを備え、前記ソレノイド駆動のアーマチュアによって制御される圧力制御室内の燃料の圧力によりニードルが変位することで燃料を噴射あるいは遮断する車両インジェクターのニードル変位推定方法において、
前記ソレノイドに供給される電流を測定する段階と、
前記測定されたソレノイドの電流を含むアーマチュア算出式によって前記アーマチュア変位及びアーマチュア速度を推定する段階と、
前記測定されたソレノイドの電流と前記推定されたアーマチュア変位及び前記アーマチュア速度を状態変数とするニードル算出式を使用して前記ニードルの変位を推定する段階とを備えることを特徴とする車両インジェクターのニードル変位推定方法。
【請求項２】
前記アーマチュア算出式は下記の式で表わされ、この式から前記アーマチュア変位とアーマチュア速度が推定されることを特徴とする、請求項１に記載の車両インジェクターのニードル変位推定方法。
0003791781.tif 000034
【請求項３】
前記ニードル算出式は下記の式で表わされ、前記ニードルの変位を推定する段階において、測定された前記ソレノイドの電流と前記アーマチュア変位及び前記アーマチュア速度を利用して該ニードル算出式の通りにニードル変位状態変数で計算する段階を含むことを特徴とする、請求項１又は請求項２に記載の車両インジェクターのニードル変位推定方法。
0003791781.tif 000035
（ここで、ｘ４はアーマチュアチャンバー圧力、ｘ５は圧力制御室の圧力、ｘ６はニードル変位、ｘ７はニードル速度、Ｒはソレノイド抵抗、Ｅは逆起電力、Ｌはインダクタンス、Ａ０は出口オリフィス面積、ｋａはアーマチュアスプリング常数、ｘａｆはアーマチュアスプリングの自由長さ、ｘａ０はアーマチュアスプリングの初期設定長さ、βｆａはアーマチュアチャンバー内の燃料の体積弾性係数、Ｖａ０はアーマチュアチャンバー初期体積、Ａａはアーマチュアチャンバーの射影面積、Ｃｄ０は出口オリフィス流量係数、Ａ０ａはアーマチュアチャンバーから回収ラインまでの燃料回収経路面積、Ｐｒｅｔｕｒｎはリターン圧力、βｆは圧力制御室内の燃料の体積弾性係数、Ｖｃ０は圧力制御室の初期体積、Ａｐは制御ピストン射影面積、Ａｉは入口オリフィス面積、Ｃｄｉは入口オリフィス流量係数、Ｐｒａｉｌはコモンレール圧力、ｘｐｆはピストンスプリング自由長さ、ｘｐ０はピストンスプリングの初期設定長さ、Ａｎはニードル射影面積、Ａｓはニードルバルブシート面積、ｍａはアーマチュア質量、ｍｐはピストン質量、ｍｎはニードル質量、ρは燃料密度、ｋｐはスプリング常数、ｘ１はソレノイド電流、ｘ２はアーマチュア変位、ｘ３はアーマチュア速度である。なお、ＥとＬは、ｘ１とｘ２の関数でｘ１とｘ２がわかれば求めることができる。ｙはシステムの出力で、ここではソレノイド電流に相当する。状態変数ｘと入力ｕ（ｕはここではソレノイド電圧に相当する）を有するシステムの出力ｙは、一般式としてｙ＝ｈ（ｘ，ｕ）で表現される。ここではシステムの出力ｙがソレノイド電流ｘ１に相当するので、ｙ＝ｘ１となる。）
【請求項４】
下端部に噴射口を有する中空状に形成され、噴射口を通じて高圧の燃料が噴射される本体と、本体の中空内中間部に形成され、コモンレールからの燃料が入口オリフィスを介して注入される圧力制御室と、圧力制御室内に上下移動自在に配置された制御ピストンと、本体の中空内部に配置されて制御ピストンに連接され、上下に移動して噴射口を開閉するニードルと、ニードルの周囲に設けられ、ニードルを噴射口方向に付勢するニードルスプリングと、圧力制御室の上部に位置するように本体の中空内部に配置されたソレノイドコイルと、ソレノイドコイルと圧力制御室との間に配置され、電子制御部から供給される電力により発生するソレノイドコイルの磁力により移動することによって圧力制御室内の燃料の圧力を制御するアーマチュアと、圧力制御室とアーマチュアとの間に形成され、燃料が流通する出口オリフィスとを備え、前記ソレノイド駆動のアーマチュアによって制御される圧力制御室内の燃料の圧力によりニードルが変位することで燃料を噴射あるいは遮断する車両インジェクターのニードル変位推定システムにおいて、
前記ソレノイドの電流を測定し、前記アーマチュア変位及びアーマチュア速度を推定する観測機を備え、
前記観測機は、
下記の上側の式によって前記測定されたソレノイドの電流と前記推定されたアーマチュア変位及びアーマチュア速度の状態変数を求め、
下記の下側の式を利用して前記ニードルの変位を推定することを特徴とする車両インジェクターのニードル変位推定システム。
0003791781.tif 000036
0003791781.tif 000037
0003791781.tif 000038
0003791781.tif 000039
0003791781.tif 000040
【請求項５】
前記観測機は、状態変数値を微分せずに出力値及び制御入力値を利用して状態変数を推定するルエンバガー観測機にスイッチングタームを追加して、観測機ゲインＨ（ルエンバガー観測機ゲイン）とＫ（スライディングゲイン）とを決定する下記の式で表される数学的アルゴリズムであるスライディング観測機であることを特徴とする、請求項４に記載の車両インジェクターのニードル変位推定システム。
0003791781.tif 000041
0003791781.tif 000042
【発明の詳細な説明】
【０００１】
【発明の属する技術分野】
本発明は高速直接噴射式ディーゼル機関の一構成要素である車両インジェクターであるコモンレールインジェクターのニードル変位を推定するシステムに係り、特に、コモンレールインジェクターのソレノイド電圧と測定された電流を用いてニードルの変位を推定するコモンレールインジェクターのニードル変位推定システムに関するものである。
【０００２】
【従来の技術】
従来のディーゼル燃料噴射装置は、噴射圧力を得るためにカム駆動装置を使用しており、その特徴は速度の増加と共に噴射圧力が増加し、これにより噴射燃料量が増加することである。しかし、このようなカム駆動装置は実際には噴射圧力が非常に低い場合にだけ用いられるという短所がある。
【０００３】
一方、カム駆動方式とは異なって、高速直接噴射式ディーゼルエンジン（ＨＳＤＩ  ；  Ｈｉｇｈ  Ｓｐｅｅｄ  Ｄｉｒｅｃｔｉｏｎ  Ｉｎｊｅｃｔｉｏｎ）は、間接噴射式に比べて燃料が節約されパワーが集中できるという長所があって、商用車はもちろん乗用車への適用が加速化している。このような高速直接噴射式ディーゼルエンジンの噴射系で用いられるコモンレール噴射装置は、噴射圧力の発生と噴射とが完全に別個の過程となる。このように圧力発生と噴射とを分離するためには、高圧を維持できる高圧アキュムレーターやレールが必要となる。このようなコモンレール噴射システムでは、従来のノズルホルダーの位置に、ソレノイドが付着されたノズルが取り付けられ、高圧はラジアルピストンポンプによって生成されるが、エンジン回転数と独立して一定の範囲内で自由に回転速度を調整できる。
【０００４】
このようなコモンレール噴射システムは、エンジン設計時に燃料の圧力発生と噴射とを分離して設計及び装着することができるため、燃焼及び噴射過程の設計が自由であるという長所がある。
【０００５】
一方、コモンレールインジェクターシステムで用いられるインジェクターは高速高圧のソレノイドバルブを使用し、ソレノイドの電気的な力を利用して噴射時期と噴射期間及び噴射率などを調節する。これらの精密制御は有害ガスの排出低減はもちろん、エンジンの効率向上にも大きく寄与し、この過程で、ニードルバルブ変位の情報に対する信頼性が保証されれば、正確な噴射時期と噴射期間及び噴射率などを決定することができる。
【０００６】
従来はこのようなニードルバルブ変位を測定するために渦電流式変位センサーを利用した。渦電流式センサーを利用する測定方法は、ニードル変位による磁場内でのコイルの変位を一定な電気信号に変換させ、この電気信号を利用してニードルの変位を推定する方法である。
【０００７】
その他にも、光繊維を利用して対象物体に光を伝送し、反射光を受け入れる原理を利用して距離、つまり変位を測定する光学式センサーと超音波を利用した変位測定方法、及び接触式変位測定方法などが挙げられるが、これらは全てセンサーに利用してニードル変位を測定する点が共通点である。
【０００８】
エンジン制御のためには、エンジンのいろいろな状態変数に対する情報を必要とするので、各状態変数と関連した物理量を測定できるセンサーが必要である。しかし、コモンレールインジェクターの駆動において、既に生産されている車両に高価なニードルバルブ変位センサーを装着して測定するのには限界があり、多数のセンサーを使用しなければならないため、高価なセンサー購入費を要するという短所がある。
【０００９】
【発明が解決しようとする課題】
本発明は前記のような従来の技術の問題点を解決するために提供されたものであって、車両インジェクターであるコモンレールインジェクターのニードル変位を測定するための各種センサーを使用しなくても、ソレノイド電圧と測定された電流とでニードルの変位を推定できるコモンレールインジェクターのニードル変位推定システムを提供することが目的である。
【００１０】
【課題を解決するための手段】
前記の目的を達成するために本発明は、下端部に噴射口を有する中空状に形成され、噴射口を通じて高圧の燃料が噴射される本体と、本体の中空内中間部に形成され、コモンレールからの燃料が入口オリフィスを介して注入される圧力制御室と、圧力制御室内に上下移動自在に配置された制御ピストンと、本体の中空内部に配置されて制御ピストンに連接され、上下に移動して噴射口を開閉するニードルと、ニードルの周囲に設けられ、ニードルを噴射口方向に付勢するニードルスプリングと、圧力制御室の上部に位置するように本体の中空内部に配置されたソレノイドコイルと、ソレノイドコイルと圧力制御室との間に配置され、電子制御部から供給される電力により発生するソレノイドコイルの磁力により移動することによって圧力制御室内の燃料の圧力を制御するアーマチュアと、圧力制御室とアーマチュアとの間に形成され、燃料が流通する出口オリフィスとを備え、前記ソレノイド駆動のアーマチュアによって制御される圧力制御室内の燃料の圧力によりニードルが変位することで燃料を噴射あるいは遮断する車両インジェクターにおいて、前記ソレノイドに供給される電流を測定する段階と、前記測定されたソレノイドの電流を含むアーマチュア算出式によって前記アーマチュア変位及びアーマチュア速度を推定する段階と、前記測定されたソレノイドの電流と前記推定されたアーマチュア変位及び前記アーマチュア速度を状態変数とするニードル算出式を使用して前記ニードルの変位を推定する段階とを備える車両インジェクターのニードル変位推定方法が提供される。
【００１１】
また、本発明によれば、前記燃料を噴射あるいは遮断する車両インジェクターにおいて、前記ソレノイドの電流を測定し、前記アーマチュア変位及びアーマチュア速度を推定する観測機を備え、前記観測機は、前記測定されたソレノイドの電流と前記推定されたアーマチュア変位及びアーマチュア速度の状態変数を求め、前記ニードルの変位を推定する車両インジェクターのニードル変位推定システムが提供される。
【００１２】
【発明の実施の形態】
以下、本発明によるコモンレールインジェクターのニードル変位推定システムの一実施例を、添付した図面を参照して詳細に説明する。
【００１３】
図１は一般的なコモンレール噴射装置を備えた高速直接噴射式ディーゼルエンジンの概念図、図２は図１に示されたインジェクターの内部構造を示した断面図、図３は図２に示されたインジェクターの駆動電流とアーマチュア変位によるソレノイド吸引力を測定して作ったグラフ、図４は図２に示されたインジェクターの圧力制御室をモデリングした概念図、図５は本発明の一実施例によるコモンレールインジェクターのニードル変位推定システムの概念図である。
【００１４】
図１に示すように、コモンレールインジェクターシステムは、燃料をエンジンのシリンダーに噴射する多数個の電子制御式インジェクター４０と、高圧の燃料を供給するポンプ２０と、ポンプ２０から出た高圧の燃料を多数個のインジェクター４０に誘導するコモンレール３０と、インジェクター４０のニードルが変位するように電力を供給し、各種センサー１ａ〜１ｆから電気的信号を受ける電子制御部（ＥＣＵ）５とを含む。
【００１５】
まず、電子制御式インジェクター４０は図２に示すように、その下端部に噴射口５８が形成され噴射口を通じて高圧の燃料が噴射される本体４９と、本体４９の内部に配置され、噴射口５８を開閉するように本体４９の長さ方向に沿って上下に移動するニードル４１と、ニードル４１の上部に位置するようにインジェクター４０の内部に配置されるソレノイドコイル４５と、ソレノイドコイル４５とニードル４１の間に配置され、電子制御部５から供給される電力により発生するソレノイドコイル４５の磁力によって移動しながら燃料の圧力を制御するアーマチュア４７とを備える。そして、ニードル４１の周囲には、ニードル４１を下方に弾性支持するニードルスプリング５６が囲んでおり、本体４９内部に配置された制御ピストン４３とアーマチュア４７の間にはオリフィス４６が形成されていて、アーマチュア４７がオリフィス４６を開閉させ、本体４９の側面から流入した燃料は、制御ピストン４３の上端部とオリフィス４６の間に形成された圧力制御室５４にまず保存される。
【００１６】
したがって、アーマチュア４７がオリフィス４６を開放すれば、インジェクター４０の側面から供給された燃料はインジェクター４０の上部方向に排出されるが、アーマチュア４７がオリフィス４６を閉鎖すれば、燃料は本体４９の内部に形成された誘導管４２に沿って、ニードル４１が位置したインジェクター４０内部の噴射口側に排出され、圧力制御室５４の圧力が低くなり制御ピストン４３が上向き移動することによってニードルが噴射口５８を開放し、燃料は本体４９の噴射口５８を通じて噴射される。
【００１７】
このような作動原理を有するコモンレールインジェクターに対する動的モデルについて詳細に説明する。
【００１８】
コモンレール燃料噴射システムでの燃料噴射過程の動力学は非常に複雑であるが、インジェクター自体だけに限定し、次の（１）〜（４）の仮定によりインジェクターのモデルを誘導した。
【００１９】
（１）コモンレール燃料噴射システムでのレールの圧力は、電子制御システムによって閉ループ制御が遂行されるので、供給圧力の脈動現象を無視することができる。
（２）縮圧室（圧力制御室）の圧力は供給圧力と同一である。
（３）リターン圧力は大気圧と同一である。
（４）圧力制御室内の燃料は圧縮性である。
【００２０】
0003791781.tif 000002
【００２１】
【数１】
0003791781.tif 000003
【００２２】
0003791781.tif 000004
【００２３】
【数２】
0003791781.tif 000005
【００２４】
一方、アーマチュア４７には、ソレノイドコイル４５による磁気力とスプリング５６の弾性力及び燃料の圧力差による力が主に作用する。このようなアーマチュア４７の変位に対する支配方程式は下記の数式（数３）のようである。
【００２５】
【数３】
0003791781.tif 000006
【００２６】
【数４】
0003791781.tif 000007
【００２７】
そして、図４に示すように、単純化した圧力制御室５４のモデルに連続方程式を適用すれば、下記の数式（数５）のように圧力制御室５４の圧力に対する微分方程式を誘導することができる。
【００２８】
【数５】
0003791781.tif 000008
【００２９】
一方、圧力制御室５４から出口オリフィス４６を通過した燃料は、アーマチュア４７を経て燃料タンク１０に戻り、この時、アーマチュア４７を収容しているアーマチュアチャンバー５２には、圧力制御室５４から流出した燃料によってある程度の圧力が形成される。この圧力を大気圧と仮定してニードル変位観測機１００を設計するとアーマチュア変位と圧力制御室の圧力の間の相互関係が無視されるため、アーマチュア変位からニードル変位を推定するのが不可能になる。したがって、アーマチュアチャンバー５２の圧力も圧力制御室５４と同様な方法でインジェクター駆動モデルを適用すれば、下記の数式（数６）の通りに表現される。
【００３０】
【数６】
0003791781.tif 000009
【００３１】
そして、制御ピストン４３とニードル４１の変位は下記の数式（数７）の通りに表現され、制御ピストン４３とニードル４１は、圧力制御室５４と縮圧室４８との圧力差によって燃料噴射を遂行する役割を果たすが、ここにはスプリング力と圧力差による力が主に作用する。
【００３２】
【数７】
0003791781.tif 000010
0003791781.tif 000011
【００３３】
このようなインジェクターモデルのうちで、状態変数を推定するためにソレノイド電流とアーマチュア変位及びアーマチュア速度の三つの状態変数だけを考慮したアーマチュア変位観測機を設計し、この値を利用してニードル変位を観測する。
【００３４】
ここで観測機１００とは、図５に示すように、制御システムの出力を利用して状態変数を推定する数学的アルゴリズムであり、本発明では下記の数式（数８）のように非線形システムのモデリング誤差を考慮できるスライディング観測機である。
【００３５】
前述した数式（数１）の７個の状態変数と数式（数２）乃至数式（数７）を比較すると、下記の数式（数８）の通りに示すことができる。
【００３６】
【数８】
0003791781.tif 000012
【００３７】
このようなインジェクターモデルの状態変数は、アーマチュア変位観測機の設計に用いられるアーマチュアモデル状態方程式によって下記の数式（数９）の通りに示すことができる。
【００３８】
【数９】
0003791781.tif 000013
0003791781.tif 000014
0003791781.tif 000015
0003791781.tif 000016
0003791781.tif 000017
0003791781.tif 000018
【００３９】
一方、観測機は制御システムの出力を利用して状態変数を推定する数学的アルゴリズムであって、センサーを使わない制御に多く利用され、線形システムに適用可能なルエンバガー観測機を基盤として、インジェクターの噴射過程のような非線形システムの状態変数推定のための多くの研究が進められており、その中でモデリング誤差を考慮できるスライディング観測機が非線形システムの状態変数推定に多く利用されている。
【００４０】
上記の数式（数９）の形態で表現されるアーマチュアモデルに対するアーマチュア変位観測機としては、下記の数式（数１０）ような形態のスライディング観測機を使用する。
【００４１】
【数１０】
0003791781.tif 000019
0003791781.tif 000020
【００４２】
0003791781.tif 000021
【００４３】
0003791781.tif 000022
【００４４】
上記の数式（数１０）によって、誤差動力学は下記の数式（数１１）の通りに示すことができる。
【００４５】
【数１１】
0003791781.tif 000023
【００４６】
0003791781.tif 000024
【００４７】
【数１２】
0003791781.tif 000025
【数１３】
0003791781.tif 000026
【００４８】
0003791781.tif 000027
【００４９】
【数１４】
0003791781.tif 000028
【００５０】
0003791781.tif 000029
【数１５】
0003791781.tif 000030
【００５１】
0003791781.tif 000031
【００５２】
【数１６】
0003791781.tif 000032
【００５３】
このような結果から設計されたニードル変位推定機の形態は下記の数式（数１７）の通りである。
【００５４】
ニードル変位は、インジェクターモデルを利用し観測機によって推定された電流とアーマチュア変位から推定される。
【００５５】
【数１７】
0003791781.tif 000033
【００５６】
以上のように説明したコモンレールインジェクターのニードル変位推定機の性能確認実験の結果を図６乃至図９に示した。
【００５７】
図６と図７は、レール圧力変化によるニードル変位の推定結果を示す。図６に示された推定値と実測値の実験条件での噴射期間は２ｍｓｅｃであり、コモンレールの圧力は３００ｂａｒであり、図７の実験条件での噴射期間は２ｍｓｅｃであり、コモンレールの圧力は９００ｂａｒである。図８と図９は、インジェクター駆動期間の変化によるニードル変位の推定結果を示す。図８の実験条件での噴射期間は１ｍｓｅｃであり、コモンレールの圧力は５００ｂａｒであり、図８の実験条件での噴射期間は３ｍｓｅｃであり、コモンレールの圧力は５００ｂａｒである。
【００５８】
図６乃至図９に示すグラフ上での点線は本発明のコモンレールインジェクターのニードル変位推定システムによって推定された状態を示し、実線は実際に測定された結果値を示す。
【００５９】
図６乃至図９に示すように、実測されたニードル変位（実線部）は、アーマチュア電流とアーマチュア変位及びアーマチュア速度の三つの状態変数の推定値を利用して推定されたニードル変位（点線部）と非常に似ていることが分かる。
【００６０】
【発明の効果】
前述したように、本発明の車両インジェクターであるコモンレールインジェクターのニードル変位推定システムは、ディーゼル機関のコモンレールインジェクターのニードルの変位を測定するために高価な変位センサーを設置しなくてもインジェクターニードルの変位を推定できるという長所がある。
【００６１】
以上で本発明の車両インジェクターであるコモンレールインジェクターのニードル変位推定システムを添付図面と共に説明したが、これは本発明の一つの実施の形態を例として説明しただけであり、本発明を限定するものではない。
【図面の簡単な説明】
【図１】一般的なコモンレール噴射装置を備えた高速直接噴射式ディーゼルエンジンの概念図である。
【図２】図１に示されたインジェクターの内部構造を示した断面図である。
【図３】図２に示されたインジェクターの駆動電流とアーマチュア変位によるソレノイドの吸引力を測定して示したグラフである。
【図４】図２に示されたインジェクターの圧力制御室をモデリングした概念図である。
【図５】本発明の一実施例によるコモンレールインジェクターのニードル変位推定システムの概念図である。
【図６】２ｍｓｅｃの噴射期間と３００ｂａｒのレール圧力の条件で、本発明によるコモンレールインジェクターのニードル変位推定システムによって推定されたニードル変位と実測されたニードル変位とを比較するグラフである。
【図７】２ｍｓｅｃの噴射期間と９００ｂａｒのレール圧力の条件で、本発明によるコモンレールインジェクターのニードル変位推定システムによって推定されたニードル変位と実測されたニードル変位とを比較するグラフである。
【図８】１ｍｓｅｃの噴射期間と５００ｂａｒのレール圧力の条件で、本発明によるコモンレールインジェクターのニードル変位推定システムによって推定されたニードル変位と実測されたニードル変位とを比較するグラフである。
【図９】３ｍｓｅｃの噴射期間と５００ｂａｒのレール圧力の条件で、本発明によるコモンレールインジェクターのニードル変位推定システムによって推定されたニードル変位と実測されたニードル変位とを比較するグラフである。
【符号の説明】
１ａ〜１ｆ    センサー
５    電子制御部（ＥＣＵ）
１０    燃料タンク
２０    ポンプ
３０    コモンレール
４０    インジェクター
４１    ニードル
４２    誘導管
４３    制御ピストン
４５    ソレノイド
４６    オリフィス
４７    アーマチュア
４８    縮圧室
４９    本体
５２    アーマチュアチャンバー
５４    圧力制御室
５６    ニードルスプリング
５８    噴射口
１００    観測機
【図１】
0003791781.tif 000043
【図２】
0003791781.tif 000044
【図３】
0003791781.tif 000045
【図４】
0003791781.tif 000046
【図５】
0003791781.tif 000047
【図６】
0003791781.tif 000048
【図７】
0003791781.tif 000049
【図８】
0003791781.tif 000050
【図９】
0003791781.tif 000051